【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
内部に封入された遊技媒体を用いて遊技を行なう封入式の遊技機と通信可能に接続された遊技用装置であって、
前記遊技用装置以外の他装置への指示情報を生成して出力し、出力した前記指示情報に対する前記他装置からの応答情報を受信する制御手段と、
前記他装置と前記制御手段との間での通信を中継する通信制御装置とを備え、
前記制御手段は、
前記指示情報を前記他装置へ出力した後に、前記通信制御装置と前記他装置および前記通信制御装置と前記制御手段との通信状態が正常であるか否かを示す通信状態データの送信を前記通信制御装置に対して要求するための通信状態要求を送信し、
前記通信制御装置は、
前記制御手段から受信した前記指示情報を前記他装置へ中継した後、前記制御手段から前記通信状態要求を受信し、
受信した前記通信状態要求に基づいて、前記通信状態データを含む通信状態応答を前記制御手段に送信した後、前記他装置から受信した前記応答情報を前記制御手段へ中継し、
前記制御手段は、
前記応答情報を前記他装置から受信する前に、前記通信状態データを前記通信制御装置から受信する、遊技用装置。
【請求項２】
内部に封入された遊技媒体を遊技領域に発射して遊技が行なわれる封入式の遊技機であって、
前記遊技機以外の他装置への指示情報を生成して出力し、出力した前記指示情報に対する前記他装置からの応答情報を受信する制御手段と、
前記他装置と前記制御手段との間での通信を中継する通信制御装置とを備え、
前記制御手段は、
前記指示情報を前記他装置へ出力した後に、前記通信制御装置と前記他装置および前記通信制御装置と前記制御手段との通信状態が正常であるか否かを示す通信状態データの送信を前記通信制御装置に対して要求するための通信状態要求を送信し、
前記通信制御装置は、
前記制御手段から受信した前記指示情報を前記他装置へ中継した後、前記制御手段から前記通信状態要求を受信し、
受信した前記通信状態要求に基づいて、前記通信状態データを含む通信状態応答を前記制御手段に送信した後、前記他装置から受信した前記応答情報を前記制御手段へ中継し、
前記制御手段は、
前記応答情報を前記他装置から受信する前に、前記通信状態データを前記通信制御装置から受信する、遊技機。
【請求項３】
表示状態が変化可能な可変表示装置を備え、１ゲームに対して賭数を設定することによりゲームが開始可能となるとともに、可変表示装置の表示結果が導出表示されることにより１ゲームが終了し、導出表示された表示結果が予め定められた特定の表示結果となったときに入賞が発生可能となる、内部に封入された遊技媒体を用いて遊技を行なう封入式の遊技機であって、
前記遊技機以外の他装置への指示情報を生成して出力し、出力した前記指示情報に対する前記他装置からの応答情報を受信する制御手段と、
前記他装置と前記制御手段との間での通信を中継する通信制御装置とを備え、
前記制御手段は、
前記指示情報を前記他装置へ出力した後に、前記通信制御装置と前記他装置および前記通信制御装置と前記制御手段との通信状態が正常であるか否かを示す通信状態データの送信を前記通信制御装置に対して要求するための通信状態要求を送信し、
前記通信制御装置は、
前記制御手段から受信した前記指示情報を前記他装置へ中継した後、前記制御手段から前記通信状態要求を受信し、
受信した前記通信状態要求に基づいて、前記通信状態データを含む通信状態応答を前記制御手段に送信した後、前記他装置から受信した前記応答情報を前記制御手段へ中継し、
前記制御手段は、
前記応答情報を前記他装置から受信する前に、前記通信状態データを前記通信制御装置から受信する、遊技機。
【請求項４】
内部に封入された遊技媒体を用いて遊技を行なう封入式の遊技機と、前記遊技機が設置された遊技場において用いられる遊技用装置の制御手段との通信を中継する通信制御装置であって、
前記遊技用装置以外の他装置への指示情報を生成して出力する前記制御手段から前記指示情報を受信し、
受信した前記指示情報を前記他装置へ中継した後、前記通信制御装置と前記他装置および前記通信制御装置と前記制御手段との通信状態が正常であるか否かを示す通信状態データの送信を要求する通信状態要求を受信し、
受信した前記通信状態要求に基づいて、前記通信状態データを含む通信状態応答を前記制御手段に送信し、
前記通信状態応答を送信した後、前記他装置から受信した応答情報を前記制御手段へ中継する、通信制御装置。
【請求項５】
前記通信制御装置は、前記遊技用装置に備えられている、請求項４に記載の通信制御装置。
【請求項６】
前記制御手段から前記他装置に出力される前記指示情報は、前記他装置に対して動作を指示する情報である、請求項１に記載の遊技用装置。
【請求項７】
前記制御手段は、通信の異常を検知した場合、前記通信制御装置と前記他装置との通信の異常であるのか、前記通信制御装置と前記制御手段との通信の異常であるのかを特定して、通信可能に接続された上位の装置に検知した異常を通知する、請求項１に記載の遊技用装置。
【請求項８】
前記制御手段から前記他装置に出力される前記指示情報は、前記他装置に対して動作を指示する情報である、請求項２または３に記載の遊技機。
【請求項９】
前記制御手段から前記他装置に出力される前記指示情報は、前記他装置に対して動作を指示する情報である、請求項４または５に記載の通信制御装置。
【手続補正２】
【補正対象書類名】明細書
【補正対象項目名】発明の名称
【補正方法】変更
【補正の内容】
【発明の名称】遊技用装置、遊技機および通信制御装置
【手続補正３】
【補正対象書類名】明細書
【補正対象項目名】０００７
【補正方法】変更
【補正の内容】
【０００７】
（１）  本発明は、内部に封入された遊技媒体を用いて遊技を行なう封入式の遊技機（パチンコ機２、スロットマシン２Ｓ）と通信可能に接続された遊技用装置（カードユニット３）であって、
前記遊技用装置以外の他装置（パチンコ機２、スロットマシン２Ｓ等）への指示情報（動作指示）を生成して出力し、出力した前記指示情報に対する前記他装置からの応答情報（動作応答）を受信する制御手段（メイン制御部３２３）と、
前記他装置と前記制御手段との間での通信を中継する通信制御装置（ＣＵ通信制御部８０）とを備え、
前記制御手段は、
前記指示情報を前記他装置へ出力（動作指示をＰ台またはＳ台へ出力し）した後に、前記通信制御装置と前記他装置および前記通信制御装置と前記制御手段との通信状態が正常であるか否かを示す通信状態データの送信を前記通信制御装置に対して要求するための通信状態要求を送信し（図２８（ａ）（ｂ）；ＣＵ通信制御部へ動作指示を送信した後通信状態要求を送信し）、
前記通信制御装置は、
前記制御手段から受信した前記指示情報を前記他装置へ中継した後、前記制御手段から前記通信状態要求を受信し、
受信した前記通信状態要求に基づいて、前記通信状態データを含む通信状態応答を前記制御手段に送信した後、前記他装置から受信した前記応答情報を前記制御手段へ中継し（Ｐ台またはＳ台から受信した動作応答をメイン制御部３２３へ送信し）、
前記制御手段は、
前記応答情報を前記他装置から受信する前に、前記通信状態データを前記通信制御装置から受信する（図２８（ａ）（ｂ）；ＣＵ通信制御部は動作指示を受信した後通信状態要求を受信したときには通信状態応答をメイン制御部へ送信する）。
【手続補正４】
【補正対象書類名】明細書
【補正対象項目名】００１５
【補正方法】変更
【補正の内容】
【００１５】
（５）  本発明の他の態様は、内部に封入された遊技媒体を遊技領域に発射して遊技が行なわれる封入式の遊技機（パチンコ機２）であって、
前記遊技機以外の他装置（カードユニット３等）への指示情報を生成し、出力した前記指示情報に対する前記他装置からの応答情報を受信する制御手段（払出制御部１７）と、
前記他装置と前記制御手段との間での通信を中継する通信制御装置（Ｐ台通信制御部８１）とを備え、
前記制御手段は、
前記指示情報を前記他装置へ出力（動作指示をカードユニット３等へ出力し）した後に、前記通信制御装置と前記他装置および前記通信制御装置と前記制御手段との通信状態が正常であるか否かを示す通信状態データの送信を前記通信制御装置に対して要求するための通信状態要求を送信し（Ｐ台通信制御部８１へ動作指示を送信した後通信状態要求を送信し）、
前記通信制御装置は、
前記制御手段から受信した前記指示情報を前記他装置へ中継した後、前記制御手段から前記通信状態要求を受信し、
受信した前記通信状態要求に基づいて、前記通信状態データを含む通信状態応答を前記制御手段に送信した後、前記他装置から受信した前記応答情報を前記制御手段へ中継し（動作応答を受信して払出制御部１７へ送信し）、
前記制御手段は、
前記応答情報を前記他装置から受信する前に、前記通信状態データを前記通信制御装置から受信する（Ｐ台通信制御部８１は動作指示を受信した後通信状態要求を受信したときには通信状態応答を払出制御部１７へ送信する）。
【手続補正５】
【補正対象書類名】明細書
【補正対象項目名】００１７
【補正方法】変更
【補正の内容】
【００１７】
（６）  本発明のさらなる他の態様は、表示状態が変化可能な可変表示装置を備え、１ゲームに対して賭数を設定することによりゲームが開始可能となるとともに、可変表示装置の表示結果が導出表示されることにより１ゲームが終了し、導出表示された表示結果が予め定められた特定の表示結果となったときに入賞が発生可能となる、内部に封入された遊技媒体を用いて遊技を行なう封入式の遊技機（スロットマシン２Ｓ）であって、
前記遊技機以外の他装置への指示情報を生成し、出力した前記指示情報に対する前記他装置からの応答情報を受信する制御手段（払出制御部１１７）と、
前記他装置と前記制御手段との間での通信を中継する通信制御装置（Ｓ台通信制御部８２）とを備え、
前記制御手段は、
前記指示情報を前記他装置へ出力（動作指示をカードユニット３等へ出力し）した後に、前記通信制御装置と前記他装置および前記通信制御装置と前記制御手段との通信状態が正常であるか否かを示す通信状態データの送信を前記通信制御装置に対して要求するための通信状態要求を送信し（Ｓ台通信制御部８２へ動作指示を送信した後通信状態要求を送信し）、
通信制御装置は、
前記制御手段から受信した前記指示情報を前記他装置へ中継した後、前記制御手段から前記通信状態要求を受信し、
受信した前記通信状態要求に基づいて、前記通信状態データを含む通信状態応答を前記制御手段に送信した後、前記他装置から受信した前記応答情報を前記制御手段へ中継し（動作応答を受信して払出制御部１１７へ送信し）、
前記制御手段は、
前記応答情報を前記他装置から受信する前に、前記通信状態データを前記通信制御装置から受信する（Ｓ台通信制御部８２は動作指示を受信した後通信状態要求を受信したときには通信状態応答を払出制御部１１７へ送信する）。
【手続補正６】
【補正対象書類名】明細書
【補正対象項目名】００２４
【補正方法】変更
【補正の内容】
【００２４】
このような構成によれば、制御手段と通信制御装置とに記憶されている互いの認証に用いるペアの認証用情報を用いた認証処理を実行されるために、より一層確かな相互認証が可能となり、セキュリティが向上する。しかも、この認証処理は、記憶している認証用情報を用いて演算処理を実行したその結果データを送受信しているために、送受信される結果データがたとえ漏洩したとしても、そこから認証用情報を特定することが困難であり、情報漏洩に起因した制御手段に対する不正行為を極力防止することができる。
（１０）  本発明のさらなる他の態様は、内部に封入された遊技媒体を用いて遊技を行なう封入式の遊技機（パチンコ機２、スロットマシン２Ｓ）と、前記遊技機が設置された遊技場において用いられる遊技用装置（カードユニット３）の制御手段（メイン制御部３２３）との通信を中継する通信制御装置（ＣＵ通信制御部８０）であって、
前記遊技用装置以外の他装置への指示情報（動作指示）を生成して出力（動作指示をＰ台またはＳ台へ出力）する前記制御手段から前記指示情報を受信し、
受信した前記指示情報を前記他装置へ中継した後、前記通信制御装置と前記他装置および前記通信制御装置と前記制御手段との通信状態が正常であるか否かを示す通信状態データの送信を要求する通信状態要求を受信し（図２８（ａ）（ｂ）；ＣＵ通信制御部が動作指示を送信した後通信状態要求を受信し）、
受信した前記通信状態要求に基づいて、前記通信状態データを含む通信状態応答を前記制御手段に送信し（図２８（ａ）（ｂ）；ＣＵ通信制御部は動作指示を受信した後通信状態要求を受信したときには通信状態応答をメイン制御部へ送信し）、
前記通信状態応答を送信した後、前記他装置から受信した応答情報（動作応答）を前記制御手段へ中継する（Ｐ台またはＳ台から受信した動作応答をメイン制御部３２３へ送信する）、通信制御装置。
（１１）  上記（１０）において、前記通信制御装置は、前記遊技用装置に備えられている。
（１２）  上記（１）、上記（５）または（６）および上記（１０）または（１１）において、前記制御手段から前記他装置に出力される前記指示情報は、前記他装置に対して動作を指示する情報である。
（１３）  上記（１）において、前記制御手段は、通信の異常を検知した場合、前記通信制御装置と前記他装置との通信の異常であるのか、前記通信制御装置と前記制御手段との通信の異常であるのかを特定して、通信可能に接続された上位の装置に検知した異常を通知する。